(57)【特許請求の範囲】
【請求項１】
アンテナ装置を具備し、原型意匠を模した外観形状を有する無線通信機器であって、
前記原型意匠の第１部分と対応する外観形状を有する本体部と、
前記原型意匠の第２部分と対応する外観形状を有し、前記本体部から延び、且つ導体から成る延出部とを備え、
前記延出部は、前記アンテナ装置の少なくとも一部を構成することを特徴とする無線通信機器。
【請求項２】
前記延出部は、鋳造により一体的に形成されることを特徴とする請求項１に記載の無線通信機器。
【請求項３】
アンテナ装置を具備し、原型意匠を模した外観形状を有する無線通信機器であって、
前記原型意匠の第１部分と対応する外観形状を有する本体部と、
前記原型意匠の第２部分と対応する外観形状を有し、前記本体部から延び、且つ少なくとも一部が導体から成る延出部と、
前記原型意匠の第３部分と対応する外観形状を有し、前記延出部に着脱可能なアンテナエレメントとを備え、
前記延出部は、導体が露出する露出部分を有し、前記アンテナ装置の少なくとも一部を構成し、
前記アンテナエレメントは、前記露出部分に接続され、前記アンテナ装置の一部を構成することを特徴とする無線通信機器。
【請求項４】
前記延出部の略全体が導体から成り、
前記延出部は、鋳造により一体的に形成されることを特徴とする請求項３に記載の無線通信機器。
【請求項５】
前記延出部は、
それぞれ導体から成る信号線路及び接地線路と、
誘電体から成り、前記信号線路と前記接地線路との間に設けられる隔離体とを備えることを特徴とする請求項３に記載の無線通信機器。
【請求項６】
前記原型意匠の第３部分と対応する外観形状を有し、前記延出部に着脱可能なアンテナエレメントをさらに備え、
前記延出部は、導体が露出する露出部分を有し、
前記アンテナエレメントは、前記露出部分に接続され、前記アンテナ装置の一部を構成することを特徴とする請求項１または２に記載の無線通信機器。
【請求項７】
前記延出部は、前記本体部とは別体に構成されることを特徴とする請求項１〜６の何れか一項に記載の無線通信機器。
【請求項８】
前記延出部は、前記本体部に対して回動可能に構成されることを特徴とする請求項７に記載の無線通信機器。
【請求項９】
前記原型意匠は、人間の顔に相当する部分を有する意匠であることを特徴とする請求項１〜８の何れか一項に記載の無線通信機器。
【発明の詳細な説明】
【技術分野】
【０００１】
本発明は、アンテナ装置を有する無線通信機器に関する。
【背景技術】
【０００２】
テレビ放送受信機や無線ＬＡＮ子機等の無線通信機器は、電波を受信／送信するためのアンテナ装置を有する。アンテナ装置は、特定周波数帯の電波に共振するように構成される。アンテナ装置は、同種のものであれば、そのサイズが大きいほど受信感度が良好になることが知られている。
【０００３】
また、近年では、意匠性が高められた無線通信機器の提供が検討されている（特許文献１参照）。特許文献１に記載の無線通信機器は、人形の外観形状を有するハウジングと、ハウジング内に配置されたアンテナ装置とを有する。
【先行技術文献】
【特許文献】
【０００４】
【特許文献１】特開平１１−２２６２７０号公報（第１０図）
【発明の概要】
【発明が解決しようとする課題】
【０００５】
特許文献１に記載の無線通信機器は、ハウジング内にアンテナ装置が配置される構成であり、次のような問題がある。
【０００６】
具体的には、ハウジング内のスペースが限られ、アンテナ装置のサイズが制限されるため、受信感度の改善を図ることが難しいという問題がある。一方で、アンテナ装置のサイズを大きくしようとすると、ハウジングの形状を変更せざるを得なくなり、意匠性を損なうという問題がある。
【０００７】
そこで、本発明は、意匠性を損なうことなくアンテナ装置の受信感度を改善できる無線通信機器を提供することを目的とする。
【課題を解決するための手段】
【０００８】
上述した課題を解決するために、本発明は以下のような特徴を有している。まず、本発明の第１の特徴は、アンテナ装置を具備し、原型意匠を模した外観形状を有する無線通信機器（無線通信機器１００）であって、前記原型意匠の第１部分（例えば胴体）と対応する外観形状を有する本体部（例えば胴体部１１０）と、前記原型意匠の第２部分（例えば腕）と対応する外観形状を有し、前記本体部から延び、且つ導体から成る延出部（例えば腕部１２０Ｒ）とを備え、前記延出部は、前記アンテナ装置の少なくとも一部を構成することを要旨とする。
【０００９】
第１の特徴によれば、原型意匠と対応する外観形状を有する延出部が、アンテナ装置の少なくとも一部として機能するように構成される。これにより、原型意匠と対応する外観形状を積極的にアンテナ装置として活用できるため、意匠性を損なうことなくアンテナ装置のサイズを大きくすることができ、アンテナ装置の受信感度を改善できる。
【００１０】
本発明の第２の特徴は、本発明の第１の特徴に係り、前記延出部は、鋳造により一体的に形成されることを要旨とする。
【００１２】
また、特許文献１に記載の無線通信機器を製造するためには、ハウジングを製造する工程と、アンテナ装置を製造する工程と、ハウジング内にアンテナ装置を組み込む工程とが必要であり、製造時の工程数が多いという問題がある。
【００１３】
一方、第２の特徴では、延出部を鋳造により一体的に形成することで、ハウジングを製造する工程とハウジング内にアンテナ装置を組み込む工程とを不要にすることができ、製造工程を簡略化できる。
【００１４】
本発明の第３の特徴は、アンテナ装置を具備し、原型意匠を模した外観形状を有する無線通信機器（無線通信機器１００）であって、前記原型意匠の第１部分（例えば胴体）と対応する外観形状を有する本体部（例えば胴体部１１０）と、前記原型意匠の第２部分（例えば腕）と対応する外観形状を有し、前記本体部から延び、且つ少なくとも一部が導体から成る延出部（例えば腕部１２０Ｒ）と、前記原型意匠の第３部分と対応する外観形状を有し、前記延出部に着脱可能なアンテナエレメント（アンテナエレメント１５０）とを備え、前記延出部は、導体が露出する露出部分（露出部分１２２ａ）を有し、前記アンテナ装置の少なくとも一部を構成し、前記アンテナエレメントは、前記露出部分に接続され、前記アンテナ装置の一部を構成することを要旨とする。
【００１５】
第３の特徴によれば、原型意匠と対応する外観形状を有する延出部が、アンテナ装置の少なくとも一部として機能するように構成される。これにより、原型意匠と対応する外観形状を積極的にアンテナ装置として活用できるため、意匠性を損なうことなくアンテナ装置のサイズを大きくすることができ、アンテナ装置の受信感度を改善できる。
また、第３の特徴によれば、原型意匠と対応する外観形状を有するアンテナエレメントがアンテナ装置の一部を構成することにより、原型意匠と対応する外観形状を積極的にアンテナ装置として活用できる。また、不使用時にはアンテナエレメントを取り外しておくことができ、アンテナエレメントの破損を防ぐことができる。また、異なる周波数帯の無線に対応する為に、大きさ及び外観意匠が異なる複数種類のアンテナエレメントの何れかを付け替えて使用できる。
【００１６】
本発明の第４の特徴は、本発明の第３の特徴に係り、前記延出部の略全体が導体から成り、前記延出部は、鋳造により一体的に形成されることを要旨とする。
【００１７】
第４の特徴によれば、原型意匠と対応する外観形状を有する延出部の略全体を導体とすることで、意匠性を損なうことなくアンテナ装置のサイズを大きくすることができる。
【００１８】
特許文献１に記載の無線通信機器を製造するためには、ハウジングを製造する工程と、アンテナ装置を製造する工程と、ハウジング内にアンテナ装置を組み込む工程とが必要であり、製造時の工程数が多いという問題がある。
【００１９】
一方、第４の特徴では、延出部を鋳造により一体的に形成することで、ハウジングを製造する工程とハウジング内にアンテナ装置を組み込む工程とを不要にすることができ、製造工程を簡略化できる。
【００２０】
本発明の第５の特徴は、本発明の第３の特徴に係り、前記延出部は、それぞれ導体から成る信号線路（信号線路１２５ａ、信号線路１２６ａ、又は信号線路１２７ａ）及び接地線路（接地線路１２５ｃ、接地線路１２６ｃ、又は接地線路１２７ｃ）と、誘電体から成り、前記信号線路と前記接地線路との間に設けられる隔離体（隔離体１２５ｂ、隔離体１２６ｂ、又は隔離体１２７ｂ）とを備えることを要旨とする。
【００２１】
第５の特徴によれば、原型意匠と対応する外観形状を有する延出部をアンテナ装置の同軸線路又は分布定数回路等として機能するように構成することができるため、意匠性を損なうことなくアンテナ装置の受信感度を改善できる。
【００２２】
本発明の第６の特徴は、本発明の第１または第２の特徴に係り、前記原型意匠の第３部分と対応する外観形状を有し、前記延出部に着脱可能なアンテナエレメント（アンテナエレメント１５０）をさらに備え、前記延出部は、導体が露出する露出部分（露出部分１２２ａ）を有し、前記アンテナエレメントは、前記露出部分に接続され、前記アンテナ装置の一部を構成することを要旨とする。
【００２３】
第６の特徴によれば、原型意匠と対応する外観形状を有するアンテナエレメントがアンテナ装置の一部を構成することにより、原型意匠と対応する外観形状を積極的にアンテナ装置として活用できる。また、不使用時にはアンテナエレメントを取り外しておくことができ、アンテナエレメントの破損を防ぐことができる。また、異なる周波数帯の無線に対応する為に、大きさ及び外観意匠が異なる複数種類のアンテナエレメントの何れかを付け替えて使用できる。
本発明の第７の特徴は、本発明の第１〜第６の何れかの特徴に係り、前記延出部は、前記本体部とは別体に構成されることを要旨とする。
第７の特徴によれば、延出部を本体部とは別体に構成することで、延出部の加工が容易になり、意匠性を高めることに寄与できる。
本発明の第８の特徴は、本発明の第７の特徴に係り、前記延出部は、前記本体部に対して回動可能に構成されることを要旨とする。
第８の特徴によれば、延出部を本体部に対して回動可能に構成することで、ユーザが延出部の角度を調整可能になり、受信感度の改善を図ることができる。
本発明の第９の特徴は、本発明の第１〜第８の何れかの特徴に係り、前記原型意匠は、人間の顔に相当する部分を有する意匠であることを要旨とする。
第９の特徴によれば、人間の顔に相当する部分を有する意匠を模した外観形状を有する無線通信機器を構成することで、無線通信機器への親しみやすさをユーザに与えることができる。
【発明の効果】
【００２４】
本発明によれば、意匠性を損なうことなくアンテナ装置の受信感度を改善できる無線通信機器を提供できる。
【図面の簡単な説明】
【００２５】
【図１】本発明の第１実施形態に係る無線通信機器の斜視図である。
【図２】本発明の第１実施形態に係る無線通信機器の正面図である。
【図３】本発明の第１実施形態に係る無線通信機器の側面図である。
【図４】本発明の第１実施形態に係る無線通信機器の側面図である。
【図５】本発明の第１実施形態に係る胴体部の基部、及び脚部の斜視図である。
【図６】図６（ａ）は、接触子の斜視図であり、図６（ｂ）は、接触子が取り付けられた基部の正面図である。
【図７】本発明の第１実施形態に係る胴体部、腕部及びアンテナエレメントを分離した状態の斜視図である。
【図８】図７のＡ−Ａ線に沿う腕部の断面図である。
【図９】本発明の第１実施形態の本変更例に係る無線通信機器の斜視図である。
【図１０】本発明の第２実施形態に係る腕部の構成例１を示す図である。
【図１１】図１１（ａ）は、本発明の第２実施形態に係る胴体部の一部拡大断面図であり、図１１（ｂ）は、本発明の第２実施形態に係る脚部の斜視図である。
【図１２】本発明の第２実施形態に係る腕部の構成例２を示す図である。
【図１３】本発明の第２実施形態に係る腕部の構成例３を示す図である。
【発明を実施するための形態】
【００２６】
次に、図面を参照して、本発明の第１実施形態、第２実施形態、及びその他の実施形態を説明する。以下の実施形態における図面の記載において、同一又は類似の部分には同一又は類似の符号を付している。
【００２７】
（１）第１実施形態
以下において、第１実施形態に係る無線通信機器について、（１．１）無線通信機器の全体構成、（１．２）胴体部及び脚部の詳細構成、（１．３）腕部及びアンテナエレメントの詳細構成、（１．４）第１実施形態の効果、（１．５）第１実施形態の変更例の順に説明する。
【００２８】
（１．１）無線通信機器の全体構成
先ず、図１〜図４を参照して、第１実施形態に係る無線通信機器１００の全体構成について説明する。図１は、第１実施形態に係る無線通信機器１００の斜視図である。図２は、第１実施形態に係る無線通信機器１００の正面図である。図３及び図４は、第１実施形態に係る無線通信機器１００の側面図である。
【００２９】
図１〜図３に示すように、無線通信機器１００は、人型キャラクタを模した外観形状を有する。第１実施形態では、無線通信機器１００は、テレビ放送波を受信するテレビ放送受信機として構成される。
【００３０】
無線通信機器１００は、人型キャラクタの胴体と対応する外観形状を有する胴体部１１０と、人型キャラクタの腕と対応する外観形状を有する腕部１２０Ｒ，１２０Ｌと、人型キャラクタの脚と対応する外観形状を有する脚部１３０と、人型キャラクタの顔と対応する外観形状を有する顔部１４０と、人型キャラクタの小物と対応する外観形状を有するアンテナエレメント１５０とを有する。
【００３１】
第１実施形態において胴体部１１０は、原型意匠（人型キャラクタ）の第１部分（胴体）と対応する外観形状を有する本体部に相当する。腕部１２０Ｒは、原型意匠（人型キャラクタ）の第２部分（腕）と対応する外観形状を有する延出部に相当する。
【００３２】
胴体部１１０は、図１に示すように、２分割式に構成されており、基部１１０ａと前面部１１０ｂとを有する。基部１１０ａ及び前面部１１０ｂは、例えば樹脂から成り、その表面が塗装されている。胴体部１１０の内側には、図２及び図３に示すように、金属製の接触子１１１が設けられる。
【００３３】
腕部１２０Ｒは、人型キャラクタの右腕と対応する外観形状を有し、胴体部１１０の上部右側から延びる。腕部１２０Ｒは、胴体部１１０とは別体に構成され、左右方向の回転軸を中心として胴体部１１０に対して回動可能に構成される。腕部１２０Ｒは、導体から成る。第１実施形態では、腕部１２０Ｒは、アルミダイキャスト又は亜鉛ダイキャスト等の金属製の材料から成り、その表面が塗装されている。
【００３４】
腕部１２０Ｌは、胴体部１１０の上部左側から延びる。腕部１２０Ｒは、胴体部１１０とは別体に構成され、左右方向の回転軸を中心として胴体部１１０に対して回動可能に構成される。腕部１２０Ｌは、例えば樹脂から成り、その表面が塗装されている。
【００３５】
脚部１３０は、胴体部１１０の下側において胴体部１１０に取り付けられる。脚部１３０は、左右方向の回転軸を中心として回動可能に構成される（図３及び図４参照）。第１実施形態においては、脚部１３０の内側には、無線通信機器１００のホスト機器（不図示）との間で信号の送受信を行うための通信用回路が組み込まれる。
【００３６】
第１実施形態では、当該通信用回路は、図４に示すように、ＰＣ等のホスト機器に挿入されるコネクタ１３１を有する。コネクタ１３１は、例えばＵＳＢ規格に従って構成される。脚部１３０は、ホスト機器への挿入時においては、胴体部１１０の前側に回転させられた状態で保持される。
【００３７】
顔部１４０は、胴体部１１０の上側において胴体部１１０に取り付けられる。顔部１４０は、上下方向の回転軸を中心として回動可能に構成される（図５参照）。顔部１４０は、人型キャラクタの目や、鼻、口に相当する部分を有する。顔部１４０は、例えば樹脂から成り、その表面が塗装されている。
【００３８】
アンテナエレメント１５０は、腕部１２０Ｒの先端部分に取り付け可能に構成される。アンテナエレメント１５０は、導体から成り、その表面が塗装されている。
【００３９】
腕部１２０Ｒ及びアンテナエレメント１５０は、電気的に連結されて、特定周波数帯の電波（第１実施形態ではテレビ放送波）に共振するアンテナ装置を構成する。第１実施形態では、腕部１２０Ｒ及びアンテナエレメント１５０は、図３に示すように、側面視でＬ字の形状を成すＬ字アンテナを構成する。当該Ｌ字アンテナは、放射器として機能する。
【００４０】
腕部１２０Ｒ及びアンテナエレメント１５０によって構成されるアンテナ装置は、胴体部１１０に設けられた接触子１１１を介して、脚部１３０に設けられた通信用回路と電気的に接続される。通信用回路は、アンテナ装置が受信したテレビ放送波の増幅、ダウンコンバート、及び復調等を行い、その結果得られた信号をコネクタ１３１を介してホスト機器に供給する。
【００４１】
（１．２）胴体部及び脚部の詳細構成
次に、図５及び図６を参照して、胴体部１１０及び脚部１３０の構成を主として説明する。図５は、胴体部１１０の基部１１０ａに係る無線通信機器１００の斜視図である。図６（ａ）は、接触子１１１の斜視図であり、図６（ｂ）は、接触子１１１が取り付けられた基部１１０ａの正面図である。
【００４２】
図５に示すように、基部１１０ａの右側部１１３Ｒには、腕部１２０Ｒの導電性の突起部分１２１と係合する切り欠き１１６Ｒと、脚部１３０の突起部分１３２が挿通される開口部１１４Ｒとが形成されている。基部１１０ａの左側部１１３Ｌも右側部１１３Ｒと同様に構成されている。
【００４３】
右側部１１３Ｒ及び左側部１１３Ｌの内側には仕切壁１１５，１１６が設けられる。右側部１１３Ｒと仕切壁１１５，１１６との間には、図６（ａ）に示す接触子１１１が配置される。接触子１１１は、図６（ｂ）に示すように、右側部１１３Ｒと仕切壁１１５，１１６とによって保持される。接触子１１１の上部には、腕部１２０Ｒの突起部分１２１と接触する接触面１１１ａが設けられる。接触子１１１の下部には、脚部１３０の突起部分１３２が挿通される開口部１１１ｂが形成される。図５（ｂ）に示すように、脚部１３０の突起部分１３２の周辺には導電性の接触部１３３が設けられており、接触部１３３は接触子１１１の下部と接触する。
【００４４】
（１．３）腕部及びアンテナエレメントの詳細構成
次に、図７及び図８を参照して、腕部１２０Ｒ及びアンテナエレメント１５０の構成を主として説明する。図７は、胴体部１１０、腕部１２０Ｒ及びアンテナエレメント１５０を分離した状態の斜視図である。図８は、図７のＡ−Ａ線に沿う腕部１２０Ｒの断面図である。
【００４５】
図７に示すように、基部１１０ａ及び前面部１１０ｂのそれぞれに設けられた切り欠きによって構成される開口部には、腕部１２０Ｒの導電性の突起部分１２１が挿通される。腕部１２０Ｒの先端部分には、アンテナエレメント１５０を保持するための切り欠き状の保持部１２２が設けられている。
【００４６】
図８に示すように、腕部１２０Ｒは、導体１２０ａ及びその表面の塗装部分１２０ｂを有し、保持部１２２の内壁には、導体１２０ａが露出する露出部分１２２ａが設けられる。露出部分１２２ａには、十分な接触を確保するために、テーパ雌ねじが形成されている。アンテナエレメント１５０の下部には、導体が露出する露出部分１５３が設けられており、露出部分１５３には、テーパ雄ねじが形成されている。テーパ雄ねじは、弾性による変形により、接触面の面積増加及び圧力増加を図り、露出部分１２２ａとアンテナエレメント１５０との接触面の抵抗を下げる。なお、通常のネジ、弾性変形を利用したバヨネット構造を具備していてもよい。
【００４７】
（１．４）第１実施形態の効果
以上説明したように、第１実施形態によれば、人型キャラクタと対応する外観形状を有する腕部１２０Ｒが、アンテナ装置の少なくとも一部として機能するように構成される。これにより、人型キャラクタと対応する外観形状を積極的にアンテナ装置として活用できるため、意匠性を損なうことなくアンテナ装置のサイズを大きくすることができ、アンテナ装置の受信感度を改善できる。
【００４８】
第１実施形態では、人型キャラクタと対応する外観形状を有する腕部１２０Ｒの略全体を導体とすることで、意匠性を損なうことなくアンテナ装置のサイズを大きくすることができる。また、腕部１２０Ｒを鋳造により一体的に形成することで、製造工程を簡略化できる。
【００４９】
また、第１実施形態では、人型キャラクタと対応する外観形状を有するアンテナエレメント１５０がアンテナ装置の一部を構成することにより、人型キャラクタと対応する外観形状を積極的にアンテナ装置として活用できる。また、不使用時にはアンテナエレメント１５０を取り外しておくことができ、アンテナエレメント１５０の破損を防ぐことができる。
【００５０】
第１実施形態では、腕部１２０Ｒは、胴体部１１０とは別体に構成されるため、腕部１２０Ｒの加工が容易になり、意匠性を高めることに寄与できる。さらに、腕部１２０Ｒを胴体部１１０に対して回動可能に構成することで、ユーザが腕部１２０Ｒの角度を調整可能になり、受信感度の改善を図ることができる。
【００５１】
第１実施形態では、人間の顔に相当する部分を有する意匠を模した外観形状を有する無線通信機器１００を構成することで、無線通信機器１００への親しみやすさをユーザに与えることができる。
【００５２】
（１．５）第１実施形態の変更例
上述した第１実施形態では、無線通信機器１００がコネクタ１３１を介してホスト機器との通信を行う構成であったが、本変更例に係る無線通信機器１００は、ホスト機器との通信を無線により行う構成である。
【００５３】
図９は、本変更例に係る無線通信機器１００の斜視図である。本変更例に係る無線通信機器１００では、図９に示すように、胴体部１１０内に回路基板１１０ｃが配置されている。回路基板１１０ｃには、腕部１２０Ｒ及びアンテナエレメント１５０によって構成されるアンテナ装置が受信したテレビ放送波の増幅、ダウンコンバート、及び復調等を行うための回路（不図示）と、ホスト機器との無線通信を行うための無線回路１１０ｄとが設けられる。無線回路１１０ｄは、例えばブルートゥース規格に従った無線通信をホスト機器と行う。脚部１３０内には、回路基板１１０ｃ上の各回路に電力を供給するためのバッテリ１３５が配置される。その他の構成については上述した第１実施形態と同様である。
【００５４】
本変更例に係る無線通信機器１００によれば、ホスト機器との通信を無線により行う構成であるため、第１実施形態で説明したコネクタ１３１等の機構を不要とすることができ、原型意匠を忠実に再現可能になるため、無線通信機器１００の意匠性をさらに高めることができる。
【００５５】
（２）第２実施形態
第２実施形態においては、腕部１２０Ｒの他の構成例について説明する。
【００５６】
図１０、図１２及び図１３は、第２実施形態に係る腕部１２０Ｒの斜視図である。図１１は、第２実施形態に係る胴体部１１０及び脚部１３０の構成を示す図である。
【００５７】
具体的には、図１０は、第２実施形態に係る腕部１２０Ｒの構成例１を示し、図１２は、第２実施形態に係る腕部１２０Ｒの構成例２を示し、図１３は、第２実施形態に係る腕部１２０Ｒの構成例３を示す。
【００５８】
（２．１）構成例１
図１０に示すように、構成例１に係る腕部１２０Ｒは、それぞれ導体から成る信号線路１２５ａ及び接地線路１２５ｃと、信号線路１２５ａと接地線路１２５ｃとの間に設けられる隔離体１２５ｂとを有する。なお、図１０では、腕部１２０Ｒの表面の塗装の図示を省略している。
【００５９】
構成例１では、信号線路１２５ａが腕部１２０Ｒの中心に位置し、信号線路１２５ａの外側を隔離体１２５ｂが取り囲み、さらに、隔離体１２５ｂの外側を接地線路１２５ｃが取り囲む構成である。このように、構成例１に係る腕部１２０Ｒは、アンテナ装置の同軸線路として機能する。
【００６０】
接地線路１２５ｃは、胴体部１１０に設けられる接地部と電気的に接続される。隔離体１２５ｂは、誘電体から成り、アンテナエレメント１５０の給電インピーダンスと信号線路１２５ａのインピーダンスとを整合する働きを有する。
【００６１】
保持部１２２においては、信号線路１２５ａのみ、又は、信号線路１２５ａ及び接地線路１２５ｃの両方が露出する露出部分が設けられる。当該露出部分にアンテナエレメント１５０が取り付けられる。保持部１２２とアンテナエレメント１５０との接合部分の形状は、上述した第１実施形態と同様である。
【００６２】
図１１（ａ）は、本発明の第２実施形態に係る胴体部１１０の一部拡大断面図であり、図１１（ｂ）は、本発明の第２実施形態に係る脚部１３０の斜視図である。
【００６３】
図１０及び図１１（ａ）に示すように、腕部１２０Ｒの突起部分１２１を構成する接地線路１２５ｃの一部１２５ｄは、胴体部１１０に設けられた一方の接触子１１１Ｂと接触する。また、腕部１２０Ｒの突起部分１２１を構成する信号線路１２５ａの一部１２５ｅは、胴体部１１０に設けられた他方の接触子１１１Ａと接触する。図１１（ｂ）に示すように、接触子１１１Ｂの下端は、脚部１３０に設けられた接触部１３３Ｂと接触する。接触子１１１Ａの下端は、脚部１３０に設けられた接触部１３３Ａと接触する。
【００６４】
ただし、図１１に示すような一対の接触子１１１Ａ，１１１Ｂを胴体部１１０に設ける構成に限らず、同軸ケーブルを胴体部１１０に設ける構成としてもよい。
【００６５】
（２．２）構成例２
図１２に示すように、構成例２に係る腕部１２０Ｒは、それぞれ導体から成る信号線路１２６ａ及び接地線路１２６ｃと、信号線路１２６ａと接地線路１２６ｃとの間に設けられる隔離体１２６ｂとを有する。なお、図１２では、腕部１２０Ｒの表面の塗装の図示を省略している。
【００６６】
構成例２では、接地線路１２６ｃに形成された溝に信号線路１２６ａ及び隔離体１２６ｂが設けられる。すなわち、構成例２に係る腕部１２０Ｒは、ストリップ線路方式の同軸線路として構成されている。
【００６７】
接地線路１２６ｃは、胴体部１１０に設けられる接地部と電気的に接続される。隔離体１２６ｂは、誘電体から成り、アンテナエレメント１５０の給電インピーダンスと信号線路１２６ａのインピーダンスとを整合する働きを有する。
【００６８】
保持部１２２においては、信号線路１２６ａのみ、又は、信号線路１２６ａ及び接地線路１２６ｃの両方が露出する露出部分が設けられる。当該露出部分にアンテナエレメント１５０が取り付けられる。保持部１２２とアンテナエレメント１５０との接合部分の形状は、上述した第１実施形態と同様である。
【００６９】
胴体部１１０及び脚部１３０については、図１１と同様の構成であってもよく、同軸ケーブルを胴体部１１０に設ける構成でもよい。
【００７０】
（２．３）構成例３
図１３に示すように、構成例３に係る腕部１２０Ｒは、それぞれ導体から成る信号線路１２７ａ及び接地線路１２７ｃと、信号線路１２７ａと接地線路１２７ｃとの間に設けられる隔離体１２７ｂとを有する。なお、図１３では、腕部１２０Ｒの表面の塗装の図示を省略している。
【００７１】
構成例３では、接地線路１２７ｃに形成された溝に、屈曲パターンを有する信号線路１２７ａと、隔離体１２７ｂとが設けられる。すなわち、構成例２に係る腕部１２０Ｒは、分布定数回路として構成されている。
【００７２】
接地線路１２７ｃは、胴体部１１０に設けられる接地部と電気的に接続される。隔離体１２７ｂは、誘電体から成り、アンテナエレメント１５０の給電インピーダンスと信号線路１２７ａのインピーダンスとを整合する働きを有する。
【００７３】
保持部１２２においては、信号線路１２７ａのみ、又は、信号線路１２７ａ及び接地線路１２７ｃの両方が露出する露出部分が設けられる。当該露出部分にアンテナエレメント１５０が取り付けられる。保持部１２２とアンテナエレメント１５０との接合部分の形状は、上述した第１実施形態と同様である。
【００７４】
胴体部１１０及び脚部１３０については、図１１と同様の構成であってもよく、同軸ケーブルを胴体部１１０に設ける構成でもよい。
【００７５】
（２．４）第２実施形態の効果
第２実施形態によれば、人型キャラクタと対応する外観形状を有する腕部１２０Ｒをアンテナ装置の同軸線路又は分布定数回路等として機能するように構成することができるため、意匠性を損なうことなくアンテナ装置の受信感度を改善できる。
【００７６】
（３）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７７】
上述した第１実施形態及び第２実施形態においては、アンテナエレメント１５０及び腕部１２０Ｒによってアンテナ装置が構成されていたが、アンテナエレメント１５０を不要とし、腕部１２０Ｒのみによってアンテナ装置を構成してもよい。
【００７８】
上述した各実施形態においては、腕部１２０Ｒが、電波を受信するためのアンテナ装置の少なくとも一部として機能するように構成されていた。
【００７９】
しかしながら、電波の受信に限定されるものではなく、電波の送信にも適用可能である。例えば、電波の送信及び受信を行う無線ＬＡＮ子機として無線通信機器１００を構成することも可能である。
【００８０】
また、腕部１２０Ｒに代えて、顔部１４０をアンテナ装置の少なくとも一部として機能するように構成してもよい。この場合、顔部１４０が延出部に相当することになる。
【００８１】
上述した各実施形態においては、無線通信機器１００は、人型キャラクタを模した外観形状を有していたが、人型キャラクタに限らず、植物又は建物等を模した外観形状を有していてもよい。
【００８２】
上述した各実施形態においては、腕部１２０Ｒが、放射器、同軸線路又は分布定数回路として機能するように構成されていた。しかしながら、そのような構成に限らず、腕部１２０Ｒを導波器、反射器、又はパッチアンテナ等として機能するように構成してもよい。また、腕部１２０Ｒの一部をメタマテリアルによって形成してもよい。
【００８３】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８４】
１００…無線通信機器、１１０…胴体部、１１０ａ…基部、１１０ｂ…前面部、１１０ｃ…回路基板、１１０ｄ…無線回路、１１１…接触子、１１１ａ…接触面、１１１ｂ…開口部、１１３Ｌ…左側部、１１３Ｒ…右側部、１１４Ｒ…開口部、１１５，１１６…仕切壁、１２０Ｒ，１２０Ｌ…腕部、１２０ａ…導体、１２０ｂ…塗装部分、１２１…突起部分、１２２…保持部、１２２ａ…露出部分、１２５ａ〜１２７ａ…信号線路、１２５ｂ〜１２７ｂ…隔離体、１２５ｃ〜１２７ｃ…接地線路、１３０…脚部、１３１…コネクタ、１３２…突起部分、１３３…接触部、１３５…バッテリ、１４０…顔部、１５０…アンテナエレメント、１５３…露出部分
【図１】
0005585096.tif 000002
【図２】
0005585096.tif 000003
【図３】
0005585096.tif 000004
【図４】
0005585096.tif 000005
【図５】
0005585096.tif 000006
【図６】
0005585096.tif 000007
【図７】
0005585096.tif 000008
【図８】
0005585096.tif 000009
【図９】
0005585096.tif 000010
【図１０】
0005585096.tif 000011
【図１１】
0005585096.tif 000012
【図１２】
0005585096.tif 000013
【図１３】
0005585096.tif 000014